(57)【要約】      （修正有）【課題】本発明の目的は、容易に着脱することができ、且つ安定的に取り付けられる吊り下げデバイスを提供することである。【解決手段】吊り下げデバイスは、本体部分（１１０）を物品（５００）に解放可能に取り付けるための取付手段と接合された本体部分（１１０）を備え、前記取付手段は、第１係合パネル（１３０）と、少なくとも１つの第２係合パネル（１４０、１５０）と、を備え、前記係止位置にある場合に、前記少なくとも１つの第２係合パネル（１４０、１５０）は、前記第１係合パネル（１３０）に対して第１鋭角で配置されており、前記解放位置にある場合に、前記少なくとも１つの第２係合パネル（１４０、１５０）は、前記第１係合パネル（１３０）に対して第２鋭角で配置されており、前記第１鋭角は、第２鋭角よりも大きい。【選択図】図３
2020093820.tif 000002
【特許請求の範囲】
【請求項１】
吊り下げデバイス（１００、２００）であって、
本体部分（１１０）を物品（５００）に解放可能に取り付けるための取付手段（１２０）と接合された本体部分（１１０）を備え、
前記取付手段（１２０）は、第１係合パネル（１３０）と、少なくとも１つの第２係合パネル（１４０、１５０）と、を備え、
前記少なくとも１つの第２係合パネル（１４０、１５０）は、係止位置と解放位置との間の吊り下げ動作のために前記第１係合パネル（１３０）に接続されており、
前記係止位置にある場合に、前記少なくとも１つの第２係合パネル（１４０、１５０）は、前記第１係合パネル（１３０）に対して第１鋭角で配置されており、
前記解放位置にある場合に、前記少なくとも１つの第２係合パネル（１４０、１５０）は、前記第１係合パネル（１３０）に対して第２鋭角で配置されており、
前記第１鋭角は、第２鋭角よりも大きいことを特徴とする、吊り下げデバイス。
【請求項２】
前記第１鋭角は０度よりも大きく、前記第２鋭角は０度であるか、又は０度よりも大きいことを特徴とする、請求項１に記載の吊り下げデバイス。
【請求項３】
前記係止位置から前記解放位置へ移動させるために、前記取付手段（１２０）を操作するための解放手段をさらに備え、
前記解放手段は、前記少なくとも１つの第２係合パネル（１４０、１５０）にヒンジ接続されたフィンガパネル（１６０）を備えることを特徴とする、請求項１に記載の吊り下げデバイス。
【請求項４】
前記少なくとも１つの第２係合パネル（１４０、１５０）は、近位端部（１４０ａ、１５０ａ）と反対側の遠位端部（１４０ｂ、１５０ｂ）とを備えるフラップであり、
前記近位端部は、第１折目線（１４１、１５１）によって前記第１係合パネル（１３０）にヒンジ接続されており、
前記遠位端部（１２ａ，１４ａ）は、前記フィンガパネル（１３）と接続されていないことを特徴とする、請求項３に記載の吊り下げデバイス。
【請求項５】
前記フィンガパネル（１６０）は、最外側縁部（１６３）を備え、
前記最外側縁部（１６３）は、前記吊り下げデバイス（１００、２００）が平坦なブランクの形態をとる場合に前記第１係合パネル（１３０）から離隔して配置されており、
前記最外側縁部（１６３）は、前記吊り下げデバイス（１００、２００）が平坦なブランクの形態をとる場合に前記遠位端部（１４０ｂ、１５０ｂ）よりも第１折目線（１４１、１５１）に対して近接して配置されることを特徴とする請求項４に記載の吊り下げデバイス。
【請求項６】
前記少なくとも１つの第２係合パネルは、２つ以上の係合パネル（１４０、１５０）を備え、
前記フィンガパネル（１６０）は、前記２つ以上の係合パネル（１４０、１５０）の間に架かっていることを特徴とする、請求項３に記載の吊り下げデバイス。
【請求項７】
前記フィンガパネル（１６０）は、前記第１係合パネル（１３０）に直接的に接続されていないが、前記少なくとも１つの第２係合パネル（１４０、１５０）を介して接続されていることを特徴とする、請求項３に記載の吊り下げデバイス。
【請求項８】
前記少なくとも１つの第２係合パネル（１４０、１５０）は、第１折目線（１４１、１５１）によって前記第１係合パネル（１３０）に接続されており、
前記フィンガパネル（１６０）は第２折目線（１４３、１５３）によって前記少なくとも１つの第２係合パネル（１４０、１５０）に接続されており、前記第２折目線（１４３、１５３）は、前記第１折目線（１４１、１５１）に対して横断方向に配置されていることを特徴とする、請求項３に記載の吊り下げデバイス。
【請求項９】
少なくとも１つの物品（５００）と、
前記少なくとも１つの物品（５００）の周りに少なくとも部分的に配置されたカートン（４００）と、
前記少なくとも１つの物品に解放可能に取り付けられた吊り下げデバイス（１００、２００）と、
を備えるパッケージであって、
前記少なくとも１つの物品（５００）は、窪んだ端部を備え、
前記カートン（４００）は、互いにヒンジ接続された複数の壁パネルを備え、
前記複数の壁パネルは、前記少なくとも１つの物品の前記窪んだ端部に沿って配置された第１パネル（３３０）を備え、
前記吊り下げデバイスは、
前記カートンの外側の少なくとも一部に隣接して配置された本体部分（１１０）と、
前記本体部分（１１０）と接合された取付手段（１２０）であって、前記カートンの前記第１パネルと前記少なくとも１つの物品の前記窪んだ部分との間に配置された取付手段（１２０）と、を備え、
前記取付手段（１２０）は、第１係合パネル（１３０）と、前記第１係合パネル（１３０）にヒンジ接続された少なくとも１つの第２係合パネル（１４０、１５０）と、を備え、
前記第１係合パネル（１３０）は、前記カートンの前記第１パネルの内側表面と接触して配置されており、
前記少なくとも１つの第２係合パネル（１４０、１５０）は、前記少なくとも１つの物品の前記窪んだ端部に当接して配置されており、
前記少なくとも１つの第２係合パネル（１４０、１５０）は、前記少なくとも１つの第２係合パネル（１４０、１５０）が前記第１係合パネル（１３０）に対して鋭角で配置された係止位置にあることを特徴とする、パッケージ。
【請求項１０】
前記複数の壁パネルは、少なくとも１つの開放端部を有する管状構造を規定しており、
前記本体部分は、前記本体部分が前記管状構造の前記少なくとも１つの開放端部を少なくとも部分的に閉鎖するような位置に配置されることを特徴とする、請求項９に記載のパッケージ。
【請求項１１】
前記少なくとも１つの物品は、２つ以上の物品を備え、
前記少なくとも１つの第２係合パネルは、前記２つ以上の物品の前記窪んだ端部にそれぞれ当接する２つ以上の第２パネル（１４０、１５０）を備え、
前記吊り下げデバイスは、前記係止位置から前記取付手段（１２０）を移動させるための解放手段をさらに備え、
前記解放手段は、２つ以上の第２係合パネル（１４０、１５０）の間に架かっているフィンガパネル（１６０）を備え、
前記解放手段は、ユーザーによって操作可能であるように、前記２つ以上の物品のうちの２つの隣接する物品の間に延在することを特徴とする、請求項９に記載のパッケージ。
【発明の詳細な説明】
【技術分野】
【０００１】
本発明は、吊り下げデバイス、及び当該吊り下げデバイスを備えるパッケージに関する。
【背景技術】
【０００２】
従来、複数の物品を梱包するカートンが知られている。このようなカートンは、例えば特許文献１及び２に開示されている。特許文献１及び２に開示されたカートンは、一対の底部パネルと、それぞれの側面パネルが一対の底部パネルのそれぞれに折目線を介してヒンジ接続された一対の側面パネルと、各側面パネルに折目線を介してヒンジ接続された上部パネルと、を備える。底部パネルには、物品の底部における窪んだ端部に係合する係合手段が設けられており、上部パネルには、物品の上部における窪んだ端部に係合する係合手段が設けられている。一対の底部パネルを互いに固定することで、特許文献１及び２に開示されたカートンは、複数の物品を収容し且つ梱包することができる。
【０００３】
さらに、例えば新商品の販売時や、特別な販売キャンペーンの最中には、商品の広告宣伝効果をさらに高めることを目的として、商品の広告などを表示した吊り下げデバイスを商品に取り付けて商品を販売する方法が知られている。
吊り下げデバイスは、例えばカートンの頂部パネルと物品の上部の間の隙間に挿入することによって、吊り下げデバイスをパッケージに取り付けることができた、又は、接着剤を用いてカートンに取り付けることができた。
【先行技術文献】
【特許文献】
【０００４】
【特許文献１】特許第４７２１６１１号公報
【特許文献２】特許第５８３２７３４号公報
【発明の概要】
【発明が解決しようとする課題】
【０００５】
しかしながら、従来技術では、吊り下げデバイスを単にカートンの頂部パネルと物品の上部との間の隙間に挿入したものであるので、吊り下げデバイスの挿入は容易であるが、吊り下げデバイスをカートンに安定的に取り付けることができなかった。
そのため、吊り下げデバイスが取り付けられた状態のパッケージの配送時や陳列時には、吊り下げデバイスがしばしば落下してしまい、その都度、吊り下げデバイスをパッケージに再び取り付ける手間や追加のコストが発生していた。
また、接着剤を用いた場合、キャンペーン終了後に吊り下げデバイスをカートンから取り外す際にカートン自体が破損する可能性があり、吊り下げデバイスをカートンから容易に取り外すことができなかった。
【課題を解決するための手段】
【０００６】
上記の課題を解決するために、本発明は、吊り下げデバイスをカートンと物品の上部との間の隙間に容易に挿入することができるとともに、吊り下げデバイスをカートン及び物品に安定的に取り付けることができ、さらに、吊り下げデバイスをカートン及び物品から容易に取り外すことができる吊り下げデバイスを提供することを目的とする。
【０００７】
上記課題を解決するために、本発明は以下の手段を採用している。
すなわち、本発明の一態様に係る吊り下げデバイスは、本体部分を物品に解放可能に取り付けるための取付手段と接合された本体部分を備え、前記取付手段は、第１係合パネルと、少なくとも１つの第２係合パネルと、を備え、前記少なくとも１つの第２係合パネルは、係止位置と解放位置との間の吊り下げ動作のために前記第１係合パネルに接続されており、前記係止位置にある場合に、前記少なくとも１つの第２係合パネルは、前記第１係合パネルに対して第１鋭角で配置されており、前記解放位置にある場合に、前記少なくとも１つの第２係合パネルは、前記第１係合パネルに対して第２鋭角で配置されており、前記第１鋭角は、第２鋭角よりも大きいことを特徴とする。
【０００８】
この構成によれば、係止位置における第１係合パネルと第２係合パネルとの間の第１鋭角は、解放位置における第１係合パネルと第２係合パネルとの間の第２鋭角よりも大きいので、吊り下げデバイスがカートン及び物品に安定的に取り付けられることができ、且つ使用者が吊り下げデバイスをカートンの頂部パネルと物品の上部との間の隙間から容易に取り外すことができる。
【０００９】
また、上記の吊り下げデバイスにおいて、前記第１鋭角は０度よりも大きく、前記第２鋭角は０度であるか、又は０度よりも大きくてもよい。
【００１０】
この構成によれば、係止位置において、第１係合パネルと第２係合パネルとの間の第１鋭角が０度より大きく、解放位置において、第１係合パネルと第２係合パネルとの間の第２鋭角が０度であるか、又は０度よりも大きいので、吊り下げデバイスがカートン及び物品に安定的に取り付けられることができ、且つ使用者が吊り下げデバイスをカートンの頂部パネルと物品の上部との間の隙間から容易に取り外すことができる。
【００１１】
また、上記の吊り下げデバイスは、前記係止位置から前記解放位置へ移動させるために、前記取付手段を操作するための解放手段をさらに備え、前記解放手段は、前記少なくとも１つの第２係合パネルにヒンジ接続されたフィンガパネルを備えてもよい。
【００１２】
この構成によれば、使用者が取付手段を操作するための解放手段、特にフィンガパネルを操作することで、第２係合パネルが係止位置から解放位置へ移動し、使用者が吊り下げデバイスをカートンの頂部パネルと物品の上部との間の隙間から容易に取り外すことができる。
【００１３】
また、上記の吊り下げデバイスにおいて、前記少なくとも１つの第２係合パネルは、近位端部と反対側の遠位端部とを備えるフラップであり、前記近位端部は、第１折目線によって前記第１係合パネルにヒンジ接続されており、前記遠位端部は、前記フィンガパネルと接続されていなくてもよい。
【００１４】
この構成によれば、物品の上部における窪んだ端部の内側表面と接触することができる各第２係合パネル物品の部分が増加するので、吊り下げデバイスがカートン及び物品に安定的に取り付けられることができる。
【００１５】
また、上記の吊り下げデバイスにおいて、前記フィンガパネルは、最外側縁部を備え、前記最外側縁部は、前記吊り下げデバイスが平坦なブランクの形態をとる場合に前記第１係合パネルから離隔して配置されており、前記最外側縁部は、前記吊り下げデバイスが平坦なブランクの形態をとる場合に前記遠位端部よりも第１折目線に対して近接して配置されてもよい。
【００１６】
この構成によれば、使用者がフィンガパネルを操作する際に、各第２係合パネルの遠位端部の移動距離を増加することができ、それによって使用者が吊り下げデバイスをカートンの頂部パネルと物品の上部との間の隙間から容易に取り外すことができる。
【００１７】
また、上記の吊り下げデバイスにおいて、前記少なくとも１つの第２係合パネルは、２つ以上の係合パネルを備え、前記フィンガパネルは、前記２つ以上の係合パネルの間に架かっていてもよい。
【００１８】
この構成によれば、使用者がフィンガパネルを操作する際に、フィンガパネルの移動に伴って、フィンガパネルに接続した２つ以上の第２係合パネルも移動することができ、それによって使用者が吊り下げデバイスをカートンの頂部パネルと物品の上部との間の隙間から容易に取り外すことができる。
【００１９】
また、上記の吊り下げデバイスにおいて、前記フィンガパネルは、前記第１係合パネルに直接的に接続されていないが、前記少なくとも１つの第２係合パネルを介して接続されていてもよい。
【００２０】
この構成によれば、フィンガパネルが第２係合パネルを介して第１係合パネルに接続されているので、第１係合パネルに対するフィンガパネルの可動範囲が広がっているので、挿入時にフィンガパネルを第１係合パネルに対して折り曲げやすくなり、それによって、使用者が吊り下げデバイスをカートンの頂部パネルと物品の上部との間の隙間に容易に挿入することができる。
また、この構成によれば、使用者がフィンガパネルを操作する際に、第１係合パネルに対するフィンガパネルの可動範囲が広がっており、且つフィンガパネルの移動に伴ってフィンガパネルに接続した第２係合パネルが移動することができ、それによって使用者が吊り下げデバイスをカートンの頂部パネルと物品の上部との間の隙間から容易に取り外すことができる。
【００２１】
また、上記の吊り下げデバイスにおいて、前記少なくとも１つの第２係合パネルは、第１折目線によって前記第１係合パネルに接続されており、前記フィンガパネルは第２折目線によって前記少なくとも１つの第２係合パネルに接続されており、前記第２折目線は、前記第１折目線に対して横断方向に配置されていてもよい。
【００２２】
この構成によれば、係止位置において、第２折目線により各第２係合パネルと物品の上部における窪んだ端部との接触部分が増加し、各第２係合パネルが物品の上部における窪んだ端部の内側表面にしっかりと当接するので、吊り下げデバイスがカートン及び物品に安定的に取り付けられることができる。
【００２３】
本発明の一態様に係るパッケージは、少なくとも１つの物品と、前記少なくとも１つの物品の周りに少なくとも部分的に配置されたカートンと、前記少なくとも１つの物品に解放可能に取り付けられた吊り下げデバイスと、を備える。前記少なくとも１つの物品は、窪んだ端部を備え、前記カートンは、互いにヒンジ接続された複数の壁パネルを備え、前記複数の壁パネルは、前記少なくとも１つの物品の前記窪んだ端部に沿って配置された第１パネルを備える。前記吊り下げデバイスは、前記カートンの外側の少なくとも一部に隣接して配置された本体部分と、前記本体部分と接合された取付手段であって、前記カートンの前記第１パネルと前記少なくとも１つの物品の前記窪んだ部分との間に配置された取付手段と、を備え、前記取付手段は、第１係合パネルと、前記第１係合パネルにヒンジ接続された少なくとも１つの第２係合パネルと、を備え、前記第１係合パネルは、前記カートンの前記第１パネルの内側表面と接触して配置されており、前記少なくとも１つの第２係合パネルは、前記少なくとも１つの物品の前記窪んだ端部に当接して配置されており、前記少なくとも１つの第２係合パネルは、前記少なくとも１つの第２係合パネルが前記第１係合パネルに対して鋭角で配置された係止位置にある。
【００２４】
この構成によれば、吊り下げデバイスの取付手段がカートンの第１パネルと物品の上部との間に配置された場合に、各第２係合パネルは物品の上部における窪んた端部の内側表面に当接しており、且つ各第２係合パネルと第１係合パネルとの間に鋭角が形成されるので、第２係合パネルがカートンの第１パネルと物品の上部との間の隙間から取り外すことが難しく、それによって、吊り下げデバイスがカートン及び物品に安定的に取り付けられることができる。
【００２５】
また、上記のパッケージにおいて、前記複数の壁パネルは、少なくとも１つの開放端部を有する管状構造を規定しており、前記本体部分は、前記本体部分が前記管状構造の前記少なくとも１つの開放端部を少なくとも部分的に閉鎖するような位置に配置されてもよい。
【００２６】
この構成によれば、カートンの第１パネルと物品の上部との間の隙間に吊り下げデバイスを挿入することで、吊り下げデバイスは、カートン及び物品に安定的に取り付けられることができる。
【００２７】
また、上記のパッケージにおいて、前記少なくとも１つの物品は、２つ以上の物品を備え、前記少なくとも１つの第２係合パネルは、前記２つ以上の物品の前記窪んだ端部にそれぞれ当接する２つ以上の第２パネルを備え、前記吊り下げデバイスは、前記係止位置から前記取付手段を移動させるための解放手段をさらに備え、前記解放手段は、２つ以上の第２係合パネルの間に架かっているフィンガパネルを備え、前記解放手段は、ユーザーによって操作可能であるように、前記２つ以上の物品のうちの２つの隣接する物品の間に延在してもよい。
【００２８】
この構成によれば、使用者が取付手段を操作するための解放手段、特にフィンガパネルを操作することで、フィンガパネルの移動に伴ってフィンガパネルに接続した第２係合パネルが係止位置から解放位置へ移動し、使用者が吊り下げデバイスをカートンの第１パネルと物品の上部との間の隙間から容易に取り外すことができる。
【発明の効果】
【００２９】
本発明の吊り下げデバイスは、吊り下げデバイスをカートンの頂部パネルと物品の上部との間の隙間に容易に挿入することができるとともに、吊り下げデバイスをカートン及び物品に安定的に取り付けることができ、さらに、吊り下げデバイスをカートンの頂部パネルと物品の上部との間の隙間から容易に取り外すことができるとの効果を奏する。
【図面の簡単な説明】
【００３０】
【図１】本発明の一の実施形態による吊り下げデバイスのブランクを示す図である。
【図２】本発明の一の実施形態による、物品を収納するカートンのブランクを示す図である。
【図３】本発明の一の実施形態による組み立てられた吊り下げデバイスを、組み立てられたカートンに挿入する状態を示す図である。
【図４】本発明の一の実施形態による組み立てられた吊り下げデバイスを、組み立てられたカートンに取り付けた状態を示す図である。
【図５】本発明の一の実施形態による組み立てられた吊り下げデバイスを、組み立てられたカートンに挿入する状態を示す断面図である。
【図６】本発明の一の実施形態による組み立てられた吊り下げデバイスを、カートンに取り付けた状態を示す断面図である。
【図７】本発明の一の実施形態による組み立てられた吊り下げデバイスを、組み立てられたカートンから取り外す状態を示す断面図である。
【図８】本発明の一の実施形態による組み立てられた箱状の吊り下げデバイスを、組み立てられたカートンに取り付けた状態を示す図である。
【発明を実施するための形態】
【００３１】
以下、本発明の実施の形態について、図１〜図７を参照して詳細に説明する。
【００３２】
＜吊り下げデバイス＞
図１は、本発明の一の実施形態による吊り下げデバイス１００のブランクを示す。
吊り下げデバイス１００は、本体部分１１０と、本体部分１１０から外側に突出するように本体部分１１０の一側部に設けられた取付手段１２０とを備える。この取付手段１２０は、後述するように、吊り下げデバイス１００をカートンに取り付けるために使用される。
なお、本実施形態において、吊り下げデバイス１００の素材は、板紙である。
【００３３】
図１に示された実施形態において、本体部分１１０は、略矩形状のパネルであり、このパネルには、商品の宣伝広告などを印刷することができる。なお、本体部分１１０は、略矩形状に限定されるものではなく、円形状、楕円形状、正方形形状又は多角形形状などの任意の形状を有してもよい。
本体部分１１０は、折目線１１１を介して取付手段１２０にヒンジ接続されており、Ｙ方向における本体部分１１０の中心線は、Ｙ方向における取付手段１２０の中心線と位置合わせされる。
【００３４】
取付手段１２０は、本体部分１１０に折目線１１１を介してヒンジ接続された第１係合パネル１３０と、本体部分１１０と接続される側と反対側において第１係合パネル１３０に折目線１４１、１５１を介してヒンジ接続された一対の第２係合パネル１４０、１５０と、を備える。
【００３５】
第１係合パネル１３０は、矩形状を有しているが、任意の形状を有してもよい。また、第１係合パネル１３０は、本体部分１１０の面積に比べて小さい面積を有する。第１係合パネル１３０の面積は、好ましくは本体部分１１０の面積のおよそ１０％〜２５％の間の範囲であってもよく、より好ましくは本体部分１１０の面積のおよそ１５％であってもよい。
Ｘ方向における第１係合パネル１３０の長さは、Ｘ方向における本体部分１１０の長さより短くなっており、好ましくはＸ方向における本体部分１１０の長さの１０％〜３０％の間の範囲であってもよく、より好ましくはＸ方向における本体部分１１０の長さのおよそ２０％であってもよい。
また、Ｙ方向における第１係合パネル１３０の長さは、Ｙ方向における本体部分１１０の長さより短くなっており、好ましくはＹ方向における本体部分１１０の長さの５５％〜７５％の間の範囲であってもよく、より好ましくはＹ方向における本体部分１１０の長さのおよそ６５％であってもよい。
Ｙ方向における第１係合パネル１３０の中心線は、Ｙ方向における本体部分１１０の中心線と位置合わせされる。
さらに、Ｙ方向における第１係合パネル１３０の長さＬ１（図１参照）は、頂部パネル３３０における窪んだ部分３３１の始点と終点との間のＸ方向の長さＬ２（図２参照）と同じであるか、窪んだ部分３３１の始点と終点との間のＸ方向の長さＬ２（図２参照）よりも短くするのが好ましい。長さＬ２は後述する肩パネル３ａのうち頂部パネル３３０の各端部にヒンジ接続される一対の肩パネル３ａ、３ａの間隔寸法と言い換えることもできる。つまり、図３に示唆されるように、第１係合パネル１３０は肩パネル３ａ、３ａに邪魔されずにカートン４００内に挿入されうる長さＬ１に設定されている。
また、Ｘ方向における係合パネル１３０の長さＷ１は、Ｘ方向における各第２係合パネル１４０、１５０の長さＷ２より長くするのが好ましい。ただし、長さＷ１が長さＷ２より短くなるようにしてもよいが、その場合、本体部分１１０と第１係合パネル１３０の間にコネクタパネル等の付加的なパネルを介在される必要がある。
【００３６】
一対の第２係合パネル１４０、１５０は、互いに離隔して配置されており、各第２係合パネル１４０、１５０の中心間距離は、後述するカートン４００内に収容される物品５００の大きさに基づいて決定される。例えば、カートン４００内に収容される物品５００が３５０ｍｌの飲料用の缶である場合には、各第２係合パネル１４０、１５０の中心間距離はおよそ５６ｍｍとなる。
一対の第２係合パネル１４０、１５０のそれぞれは略半円形状を有しており、近位端部１４０ａ、１５０ａと、この近位端部１４０ａ、１５０ａと反対側の遠位端部１４０ｂ、１５０ｂとを備えている。
第２係合パネル１４０、１５０の近位端部１４０ａ、１５０ａは、略半円形状の直線部分であり、折目線１４１、１５１を介して第１係合パネル１３０とヒンジ接続されている。
また、第２係合パネル１４０、１５０の遠位端部１４０ｂ、１５０ｂは、略半円形状の円弧部分であり、物品の上部における窪んだ端部の内側表面に実質的に当接するように形成されている。この円弧部分の曲率半径は、後述するカートンに収容される物品の大きさに基づいて決定される。例えば、カートン４００内に収容される物品５００が３５０ｍｌの飲料用の缶である場合には、この円弧部分の曲率半径はおよそ１５ｍｍとなる。
さらに、遠位端部１４０ｂの最外側点と遠位端部１５０ｂの最外側点との間の長さＤ１（図１参照）は、カートン４００に収容される物品５００のうち隣り合う２つの物品５００の中心間の長さより小さくするのが好ましい。ただし、長さＤ１を隣り合う２つの物品５００の中心間の長さと同じにしてもよいしそれより長くしてもよい。また、第２係合パネル１４０、１５０の形状は半円形に限らず他の形状としてもよい。変更した場合の形状としては例えば半楕円形、扇型（四半円形やパイ形を含む）等があげられる。
【００３７】
図１に示された吊り下げデバイス１００は、図６に示された係止位置から図７に示された解放位置へ取付手段１２０を移動させるための解放手段を備える。この解放手段は、一対の第２係合パネル１４０、１５０の間に配置されたフィンガパネル１６０を備える。フィンガパネル１６０は、一方の第２係合パネル１４０を他方の第２係合パネル１５０へ延在するように、各第２係合パネル１４０、１５０に折目線１４３、１５３を介してヒンジ接続されている。
このフィンガパネル１６０は、スリット又は切断線１６１によって第１係合パネルと離隔するように形成されている。
また、フィンガパネル１６０は、スリット又は切断線１６１と反対側に、直線状の最外側縁部１６３を備える。
図１に示されるように、フィンガパネル１６０の最外側縁部１６３は、第２係合パネル１４０、１５０の遠位端部１４０ｂ、１５０ｂに比べて折目線１４１、１５１に対して近接して設けられている。
フィンガパネル１６０と各第２係合パネル１４０、１５０との間の折目線１４３、１５１は、折目線１４１、１５１に対して略横断方向、つまり略Ｘ方向に配置されている。
さらに、Ｙ方向におけるスリット又は切断線１６１の長さＬ３は、第１係合パネル１３０のＹ方向の長さＬ１から第２係合パネル１４０または第２係合パネル１５０のＸ方向の長さＷ２の４倍の寸法を差し引いた長さとほぼ等しくなっていてもよい。（Ｌ３≒Ｌ１−４・Ｗ２）
【００３８】
＜ブランク＞
図２は、本発明の一の実施形態による物品を収納するカートン４００のブランク３００を示す。
ブランク３００は、第１底部パネル３１０と、第１底部パネル３１０に折目線３１１を介してヒンジ接続された第１側部パネル３２０と、第１側部パネル３２０に折目線３２１を介してヒンジ接続された頂部パネル３３０と、頂部パネル３３０に折目線３４１を介してヒンジ接続された第２側部パネル３４０と、第２側部パネル３４０に折目線３５１を介してヒンジ接続された第２底部パネル３５０と、を備える。
【００３９】
第１底部パネル３１０及び第２底部パネル３５０は、任意の適切な接着剤又は任意の適切な係合手段を用いて互いに接続される。第１底部パネル３１０を第２底部パネル３５０に接続することにより、管状構造が開かないようになる。このようにして管状構造を有するカートンを構成することができる。
また、第１底部パネル３１０及び第２底部パネル３５０には、カートン４００内に収容された物品５００の底部と係合するための係合手段が設けられてもよい。
【００４０】
頂部パネル３３０及び／或いは第１底部パネル３１０又は第２底部パネル３５０に近接する第１側部パネル３２０及び第２側部パネル３４０の両端部分には、カートン４００内に収容された物品５００を保持するための保持手段３２３、３２５、３４３、３４５が設けられている。各保持手段３２３、３２５、３４３、３４５は肩パネル３ａと、連結パネル３ｂとを有する。肩パネル３ａは頂部パネル３３０に斜めの折目線を介してヒンジ接続されている。連結パネル３ｂは肩パネル３ａにＹ方向に延びる折目線を介してヒンジ接続されている。連結パネル３ｂは折込パネル３ｃにも斜めの折目線を介してヒンジ接続されている。折込パネル３ｃは各側部パネル３２０、３４０の各端部にＸ方向に延びる折目線を介してヒンジ接続されている。カートン４００の組み立て完了時には、各折込パネル３ｃがそのＸ方向の折目線に沿って１８０度カートンの内方に折り込まれる。この折込操作に伴い、連結パネル３ｂがその斜めの折目線に沿ってカートンの外方にほぼ１８０度折り返される。その際、肩パネル３ａは連結パネル３ｂにより下方に引っ張られるので肩パネル３ａの斜めの折目線に沿って下方に折り曲げられる。肩パネル３ａの折り曲げ動作角度は通常９０度以下である。このような状態に折り曲げられた肩パネル３ａおよび連結パネル３ｂがカートン内の缶に係合することにより缶の抜け止めがなされる。
また、頂部パネル３３０の両端部分には、カートン内に収容された物品を容易に取り出すために窪んだ部分３３１が設けられており、頂部パネル３３０の略中央部分には、使用者がカートン４００を容易に把持するための把持手段３３３が設けられている。
図３及び図４に示されるように、カートン４００に複数の物品５００が収納される際に、この窪んだ部分３３１の中心線は、２つの物品５００の間に位置合わせされる。
また、図３及び図４に示されるように、複数の物品５００は、６本の飲料用の缶であり、より具体的には、２本×３列に整列された６本の３５０ｍｌの飲料用の缶であってもよい。
なお、図３及び図４において、第２係合パネル１４０、１５０は点線で示されている。
【００４１】
＜挿入と取付＞
図３は、本発明の一の実施形態による組み立てられた吊り下げデバイス１００を、カートン４００内に挿入する状態を示しており、図４は、組み立てられた吊り下げデバイス１００がカートン４００に取り付けられた状態を示す。
図３に示された吊り下げデバイス１００は、本体部分１１０が第１係合パネル１３０と略直角になるように、本体部分１１０と第１係合パネル１３０との間の折目線１１０に沿って折り曲げられる。
さらに、図３に示された吊り下げデバイス１００は、第１係合パネル１３０と各第２係合パネル１４０、１５０との間の折目線１４１、１５１に沿って折り曲げられる。それによって、各第２係合パネル１４０、１５０とフィンガパネル１６０とは、第１係合パネル１１０に対して鋭角を形成する。好ましくは、吊り下げデバイス１００をカートン４００の頂部パネル４３０と飲料用の缶の上部との間の隙間内に容易に挿入するために、各第２係合パネル１４０、１５０とフィンガパネル１６０とは、第１係合パネル１３０に接触するように折り曲げられてもよい。
一方、図３に示されたカートン４００は、図２に示されたブランク３００を組み立てたものであり、その内部に複数の物品である飲料用の缶５００を収容したものである。カートン４００は少なくとも１つの開口端部４１０を形成しており、開口端部４１０により、収容された飲料用の缶５００の少なくとも一部は外部に露出されている。
【００４２】
図３に示された挿入の前に、Y方向における吊り下げデバイス１００の中心線は、カートン４００内に配置された２つの飲料用の缶５００の間に位置合わせされる。その後、上述したように組み立てられた吊り下げデバイス１００は、飲料用の缶５００が収容されたカートン４００の開口端部４１０からカートン４００の頂部パネル４３０と飲料用の缶５００の上部との間の隙間に挿入される。
それによって、図６に示されるように、各第２係合パネル１４０、１５０は、各飲料用の缶５００の上部に形成された窪んだ端部５１０内に配置されることができる。この際、各第２係合パネル１４０、１５０の遠位端部１４０ｂ、１５０ｂは、各飲料用の缶の上部に形成された窪んだ端部５１０の内側表面５１１と当接している。
【００４３】
＜挿入際の断面図＞
図５は、組み立てられた吊り下げデバイス１００をカートン４００の頂部パネル４３０と飲料用の缶５００の上部との間の隙間に挿入する状態を示す断面図である。図５の断面図は、図６に示された断面図に基づく吊り下げデバイス１００を挿入する際の断面図に対応する。
吊り下げデバイス１００がカートン４００の頂部パネル４３０と飲料用の缶５００の上部との間の隙間に挿入しやすいように、各第２係合パネル１４０、１５０とフィンガパネル１６０とは、第１係合パネル１１０に対して鋭角を形成する。第１係合パネル１３０とフィンガパネル１６０との間のスリット又は切断線１６１により、第１係合パネル１３０に対するフィンガパネル１６０の可動範囲が広がっており、好ましくは、各第２係合パネル１４０、１５０とフィンガパネル１６０とは、第１係合パネル１１０に接触するように折り曲げられることができる。
従って、上記の実施形態の吊り下げデバイス１００によれば、吊り下げデバイス１００をカートン４００の頂部パネル４３０と飲料用の缶５００の上部との間の隙間に容易に挿入することができる。
【００４４】
＜係合時の断面図（係止位置）＞
図６は、組み立てられた吊り下げデバイス１００を、カートン４００及び飲料用の缶５００に取り付けた状態を示す断面図である。図６の断面図は、図４の切断線Ｖ−Ｖに沿って切り取られた断面図であって、吊り下げデバイス１００、カートン４００、及び飲料用の缶５００の断面図（係止位置における断面図）に対応する。
本体部分１１０がカートン４００内に収容された飲料用の缶５００と接触するまで、吊り下げデバイス１００はカートン４００の頂部パネル４３０と飲料用の缶５００の上部との間の隙間に挿入される。
吊り下げデバイス１００の挿入後、カートン４００の頂部パネル４３０と飲料用の缶５００の上部との間の隙間、特にカートン４００の頂部パネル４３０と飲料用の缶５００の上部における窪んだ端部５１０との間において、各第２係合パネル１４０、１５０は、第１係合パネル１３０から離れる方向に可動することができる。
それにより、第２係合パネル１４０、１５０の遠位端部１４０ｂ、１５０ｂは、飲料用の缶５００の上部における窪んだ端部５１０の内側表面５１１と係合するように、より具体的には、飲料用の缶５００の上部における窪んだ端部５１０の内側表面５１１と当接するように、飲料用の缶５００の上部における窪んだ端部５１０内に配置される。
その際、カートン４００の頂部パネル４３０と飲料用の缶５００の上部との間の隙間、特にカートン４００の頂部パネル４３０と飲料用の缶５００の上部における窪んだ端部５１０との間において、第１係合パネル１３０と第２係合パネル１４０、１５０との間には、第１鋭角が形成される。この第１鋭角は、０度より大きくなっている。
また、吊り下げデバイス１００が飲料用の缶５００の上部における窪んだ端部５１０内に配置される場合に、折目線１４３、１５３により各第２係合パネル１４０、１５０と飲料用の缶５００の上部における窪んだ端部５１０との接触部分の面積が増加し、第２係合パネル１４０、１５０は、飲料用の缶５００の上部における窪んだ端部５１０の内側表面５１１としっかりと係合することができ、より具体的には、飲料用の缶５００の上部における窪んだ端部５１０の内側表面５１１としっかりと当接することができる。
従って、上記の実施形態の吊り下げデバイス１００によれば、吊り下げデバイス１００はカートン４００の頂部パネル４３０と飲料用の缶５００との間の隙間に安定的に取り付られることができる。
【００４５】
また、図４に示されるように、吊り下げデバイス１００の第１係合パネル１３０、特に各第２係合パネル１４０、１５０に近接する第１係合パネル１３０の両端部は、カートン４００の頂部パネル４３０と接触している。
吊り下げデバイス１００をカートン４００から取り外そうとする場合に、使用者は取付手段１２０を挿入方向と逆方向に引っ張ろうとしようとする。その場合、第２係合パネル１４０、１５０の遠位端部１４０ｂ、１５０ｂが飲料用の缶５００の上部における窪んだ端部５１０の内側表面５１１と当接する係止位置を支点として、取付手段１２０は上方向に回転しようする。しかしながら、カートン４００の頂部パネル４３０により第２係合パネル１４０、１５０の可動範囲が制限されるので、取付手段１２０は上方向に回転することができず、吊り下げデバイス１００をカートン４００から取り外すことができない。
【００４６】
＜解放位置＞
図７は、組み立てられた吊り下げデバイス１００を、カートン４００から取り外す状態を示す断面図である。図７の断面図は、図６に示された断面図に基づく吊り下げデバイス１００を取り外す際の断面図に対応する。
吊り下げデバイス１００をカートン４００から取り外す場合には、フィンガパネル１６０、特に２つの飲料用の缶５００の間に位置したフィンガパネル１６０の中央部分を指６００で上方向に押し上げる。
それによって、カートン４００の頂部パネル３３０における窪んだ部分３３１により、フィンガパネル１６０及び第１係合パネル１３０は上方向に移動することができる。
その際、フィンガパネル１６０の移動に伴って、フィンガパネル１６０に接続された第２係合パネル１４０、１５０も第１係合パネル１３０に向かって移動することができる。
それによって、第１係合パネル１３０と第２係合パネル１４０、１５０と間には、第２鋭角が形成される。この第２鋭角は、係止位置における第１鋭角より小さくなっており、具体的には、０度であるか、又は０度より大きくなっている。第１係合パネル１３０とフィンガパネル１６０との間のスリット又は切断線１６１により、第１係合パネル１３０に対するフィンガパネル１６０の可動範囲が広がり、好ましくは、吊り下げデバイス１００をカートン４００の頂部パネル４３０と飲料用の缶５００の上部との間の隙間から取り外しやすいように、第１係合パネル１３０は、第２係合パネル１４０、１５０と接触した状態になってもよい。
つまり、フィンガパネル１６０を上方向に押し上げることで、フィンガパネル１６０は第１係合パネル１３０と接触した状態となり、それに伴って、第２係合パネル１４０、１５０は、飲料用の缶５００の上部における窪んだ端部５１０における係止位置から第１係合パネル１３０と接触した状態になる。このような状態は、吊り下げデバイス１００がカートン内への挿入時と実質的に同じ状態になる。
従って、上記の実施形態の吊り下げデバイス１００によれば、吊り下げデバイス１００はカートン４００の頂部パネル４３０と飲料用の缶５００の上部との間の隙間から容易に取り外すことができる。
【００４７】
＜変形例＞
図８は、箱形の本体部分２１０を備える吊り下げデバイス２００を示す。
吊り下げデバイス２００の本体部分２１０は、図８に示されるように箱体である。それ以外の吊り下げデバイス２００の構成は、図１に示された吊り下げデバイス１００の構成と同じである。
なお、図８において、第２係合パネル２４０、２５０は上記の実施形態における第２係合パネル１４０、１５に対応しており、点線で示されている。
この箱体の内部には、景品などの追加物を収容することができ、且つ箱体の外側表面には、景品の情報や商品の宣伝などをプリントすることができる。
さらに、吊り下げデバイス１００、２００の本体部分１１０、２１０は、商品のバッグ、販売促進用アイテム、又はクーポンなどを取り付けることができる支持背面パネル（supporting back panel）であってもよい。
また、吊り下げデバイス１００、２００の本体部分１１０、２１０は、任意のスタイルのカートン又はボックスであってもよく、例えば、バスケット型キャリア、カップキャリア、エンドサイドカートン（end-side carton）、ラップアラウンド型カートン、頂部係合キャリア等であってもよい。
なお、吊り下げデバイス１００、２００の本体部分１１０、２１０は、上記のこれらの要素に限定されない。
【００４８】
本発明は、以上、本発明の実施の形態について図面を参照して詳述したが、具体的な構成はこの実施の形態に限られるものではなく、本発明の要旨を逸脱しない範囲の設計変更等も含まれる。
なお、上記実施形態では、２つの第２係合パネルを有するとしたが、これに限るものではなく、例えば、２つ以上の第２係合パネル、より具体的には３つの第２係合パネルを備えてもよい。３つの第２係合パネルを有する吊り下げデバイスは、各第２係合パネルの間にフィンガパネルを配置するように２つのフィンガパネルを備える。そして、３つの第２係合パネルを有する吊り下げデバイスが取り付けられるカートンは、開口端部から３つの物品が露出されており、これらの３つの物品それぞれの上部における窪んだ端部に各第２係合パネルが係合している。
また、上記実施形態では、物品は飲料用の缶であったが、これに限るものではなく、物品は、上部に窪んだ端部を有する瓶、ペットボトルなどの他の材質の被包装体を用いることができる。
上記実施形態では、円柱体の飲料用の缶を用いた例について説明したが、本発明はこれに限定されるものではなく、円柱体以外の形状を有する物品を用いることができる。
上記実施形態では、飲料が充填された飲料用の缶を用いた例について説明したが、本発明はこれに限定されるものではなく、ビールなどのアルコール飲料、ジュースなどの飲料、食料品、化粧品、医薬品、生活製品、自動車用品、農業用品、建築用品などの内容物が充填された物品であってもよい。
【００４９】
上記実施形態では、カートンに６本の飲料用の缶を収容した例について説明したが、本発明はこれに限定されるものではなく、６本以外の物品を収容することができる。また、上記実施形態では、カートンに６本の飲料用の缶を２列×３の配列で収容した例について説明したが、本発明はこれに限定されるものではなく、２列×３以外の配列、例えば２列×２の配列、３列×２の配列であってもよい。
【００５０】
上記実施形態では、吊り下げデバイス及び／又はカートンの素材として板紙を用いた例について説明したが、本発明はこれに限定されるものではなく、紙と樹脂の複合材料或いは積層材料などの、所望の可撓性、剛性を有する種々のシートを用いることもできる。
【符号の説明】
【００５１】
１００  吊り下げデバイス
１１０  本体部分
１１１  折目線
１２０  取付手段
１３０  第１係合パネル
１４０  第２係合パネル
１４０ａ  近位端部
１４０ｂ  遠位端部
１４１  折目線
１４３  折目線
１５０  第２係合パネル
１５０ａ  近位端部
１５０ｂ  遠位端部
１５１  折目線
１５３  折目線
１６０  フィンガパネル
１６１  スリット又は切断線
１６３  最外側縁部
２００  吊り下げデバイス
２１０  箱体の本体部分
３００  ブランク
３１０  第１底部パネル
３２０  第１側部パネル
３２３、３２５  保持手段
３ａ  肩パネル
３ｂ  連結パネル
３ｃ  折込パネル
３３０  頂部パネル
３３１  窪んだ部分
３３３  把持手段
３４０  第２側部パネル
３４３、３４５  保持手段
３５０  第２底部パネル
４００  カートン
５００  物品、飲料用の缶
６００  使用者の指
【図１】
2020093820.tif 000003
【図２】
2020093820.tif 000004
【図３】
2020093820.tif 000005
【図４】
2020093820.tif 000006
【図５】
2020093820.tif 000007
【図６】
2020093820.tif 000008
【図７】
2020093820.tif 000009
【図８】
2020093820.tif 000010